(57)【要約】  本発明は、制御弁（１）、特に液圧式のドアクローザ（２０）の、雌ねじ山（２５）を備えて構成される孔内に固定可能な制御弁（１）であって、制御領域（４）が接続する基体（３）と、回り止めを備えるねじ山（２）とを備え、前記回り止めを備えるねじ山（２）が前記孔の雌ねじ山（２５）内に螺入される形式のものに関する。簡単に構成されており、運転中に制御弁（１）が、意図せず調節されてしまう可能性を排除する制御弁を提供するために、制御弁（１）の回り止めが、前記ドアクローザ（２０）の雌ねじ山（２５）と協働する、ねじ山（２）のフランクに設けられたプラスチック層を有するようにした。
2010531962.tif 000002
【特許請求の範囲】
【請求項１】
制御弁（１）、特に液圧式のドアクローザ（２０）の雌ねじ山（２５）内に固定可能な制御弁（１）であって、制御領域（４）が接続する基体（３）と、回り止めを備えるねじ山（２）とを備え、前記回り止めを備えるねじ山（２）が前記雌ねじ山（２５）内に螺入される形式のものにおいて、ねじ山（２）が回り止めを有しており、ねじ山（２）のフランクに、前記ドアクローザ（２０）の雌ねじ山（２５）と協働するプラスチック層が配置されていることを特徴とする、制御弁。
【請求項２】
前記基体（３）がねじ山（２）を備え、該ねじ山（２）のフランクにプラスチック層が配置されている、請求項１記載の制御弁。
【請求項３】
前記ねじ山（２）が前記基体（３）の軸部（２ａ）に配置されている、請求項２記載の制御弁。
【請求項４】
前記制御領域（４）が、端部（１１）を備える軸部延長部（４ｃ）を備え、該軸部延長部（４ｃ）が、材料案内部（５）を介して、前記ねじ山（２）のフランクに設けられたプラスチック層に結合されている、請求項１記載の制御弁。
【請求項５】
前記基体（３）が盲孔（９）を備え、該盲孔（９）が前記基体（３）の長手方向軸線に沿って頭領域（８）に対向して配置されている、請求項１記載の制御弁。
【請求項６】
前記盲孔（９）が多角形又は非円形の横断面を備える、請求項５記載の制御弁。
【請求項７】
前記盲孔（９）内に前記制御領域（４）の付設部（４ａ）が形状結合式に、相対回動不能に固定されている、請求項５又は６記載の制御弁。
【請求項８】
前記付設部（４ａ）が少なくとも１つの栓部（４ｂ）を備え、該栓部（４ｂ）が前記基体（３）の材料出口（６）内に突入する、請求項７記載の制御弁。
【請求項９】
前記プラスチック層が形状結合式かつ／又は摩擦力結合式かつ／又は素材結合式に前記ねじ山（２）に配置されている、請求項２記載の制御弁。
【請求項１０】
前記制御領域（４）が、基体（３）に対向する、先細りした、有利には円錐形に形成された端部（１１）を備える、請求項４記載の制御弁。
【請求項１１】
前記制御領域（４）が前記基体（３）に射出成形法により固定される、請求項１から１０までのいずれか１項記載の制御弁。
【請求項１２】
前記基体（３）及び／又は前記制御領域（４）がプラスチック材料からなり、特に前記基体（３）は繊維強化されたプラスチックからなる、請求項１から１１までのいずれか１項記載の制御弁。
【請求項１３】
前記基体（３）が着色されている、請求項１から１２までのいずれか１項記載の制御弁。
【請求項１４】
前記ドアクローザ（２０）が供給通路（２２）、排出通路（２３）及び円錐形の弁座（２４）を備え、流体が前記供給通路（２２）を通して前記弁座（２４）に沿って前記排出通路（２３）へと案内可能である、請求項１から１３までのいずれか１項記載の制御弁。
【発明の詳細な説明】
【技術分野】
【０００１】
本発明は、制御弁、特に液圧式のドアクローザの、雌ねじ山を備えて構成される孔内に固定可能な制御弁であって、制御領域が接続する基体と、回り止めを備えるねじ山とを備え、前記回り止めを備えるねじ山が前記孔の雌ねじ山内に螺入される形式のものに関する。
【０００２】
ＤＥ１０２２８８７２Ｂ４に開示されるドアクローザのための制御弁は、基体及び制御領域からなる。基体には、制御弁を制御するために、ドアクローザの孔内に螺入可能なねじ山が存在する。制御領域は、スリーブ状に構成されており、玉継手結合部を介して基体に結合されている。制御弁、特に制御領域の不都合な回動を防止するために、制御領域に配置される、付設部又は突出部として形成されている回り止めが設けられている。この付設部は、ドアクローザのハウジングに設けられた溝内で長手方向可動に案内されている。
【０００３】
本発明の課題は、簡単に構成されており、運転中に制御弁が、意図せず調節されてしまう可能性を排除する、冒頭で述べた形式の制御弁を提供することである。
【０００４】
この課題を解決するために、請求項１に記載の特徴を備える制御弁が提案される。従属請求項には有利な形態が記載されている。
【０００５】
このために、本発明では、回り止めが、制御弁の、ドアクローザの雌ねじ山と協働する、ねじ山のフランクに設けられたプラスチック層を有している。これにより、制御弁の意図しない緩み又は回動を防止する締付け作用が達成される。
【０００６】
さらなる改良は、前記基体がねじ山を備え、該ねじ山のフランクにプラスチック層が配置されていることにより達成される。これにより、基体に、所定の方法によりプラスチック層が装着されるねじ山形状が予め規定されている。
【０００７】
前記ねじ山が前記基体の軸部に配置されていると有利である。これにより、ねじ山の製造が簡単に実現可能である。
【０００８】
さらなる改良は、前記制御領域が、端部を備える軸部延長部を備え、該軸部延長部が、材料案内部を介して、制御弁に設けられた前記ねじ山のフランクに設けられたプラスチック層に結合されていることにより達成される。これにより、制御領域が唯一の作業工程で製造可能である。
【０００９】
別の大きな利点は、前記基体が盲孔を備え、該盲孔が前記基体の長手方向軸線に沿って頭領域に対向して配置されていることである。これにより、制御領域は、一体的に摩擦力結合（ｋｒａｆｔｓｃｈｌｕｅｓｓｉｇ：摩擦力による束縛）式かつ形状結合（ｆｏｒｍｓｃｈｌｕｅｓｓｉｇ：形状による束縛）式に、基体に対して一列に製造可能である。
【００１０】
さらに有利には、前記盲孔が多角形又は非円形の横断面を備える。このことは、ドアクローザの孔内に制御弁を螺入する際に、回動の付加的な防止につながる。
【００１１】
さらに有利には、前記盲孔内に付設部が形状結合式に、相対回動不能に固定されている。これにより、制御領域が安定に基体に結合されている。
【００１２】
さらに、前記付設部が少なくとも１つの栓部を備え、該栓部が前記基体の孔内に突入すると有利である。これにより、プラスチック材料がねじ山のフランクに導かれ、付設部がさらに回動を防止する。
【００１３】
有利には、前記プラスチック層が形状結合式かつ／又は摩擦力結合式かつ／又は素材結合（ｓｔｏｆｆｓｃｈｌｕｅｓｓｉｇ）式に前記ねじ山に配置されている。これにより、プラスチック層が直接、対応するねじ山内で、及びそこでドアクローザのねじ山のフランク内で係合するので、締付け作用が極めて繊細に調節可能である。これにより、高い面圧が、雌ねじ山のフランクと制御弁のねじ山のフランクとの間に形成される。このような配置によって、互いに係合するねじ山部分が勝手に回動することがなくなることが判った。さらに、制御弁の、手によるかつ／又は意図的な調節は、もちろん可能である。換言すれば、制御弁はいつでも、規定の閉鎖挙動に関する所望の要求に応じて調整可能である。回り止めは、自動的な回動、特に発生する動的な負荷による自動的な回動を効果的に防止する。
【００１４】
前記制御領域は、基体に対向する、先細りした、有利には円錐形に形成された端部を備える。この形態は、閉鎖行程の閉鎖速度に著しい影響を及ぼすオイル流のより正確な調整を提供する。制御弁に対して、流動する流体に起因して働く力にもかかわらず、制御弁のねじ山のフランクに設けられたプラスチック層は、制御弁がねじ山において、意図せずにかつ自動的に誤調整されてしまう可能性を排除する。
【００１５】
前記制御領域が前記基体に射出成形法により配置されると有利である。これにより、簡単な作業形態で制御領域が製造される。射出成形法では、加工したい材料に関して、要求に応じて変更可能である。基体は、金属、例えば亜鉛、黄銅又は鋼からなることができ、制御領域は、有利にはプラスチック材料からなる。特に高い強度を達成するために、前記プラスチックは繊維強化されていてもよく、特にプラスチックは、所定の分量のガラス繊維及び／又は炭素繊維及び／又はアラミド繊維を有していてもよい。
【００１６】
別の可能性は、前記基体及び／又は前記制御領域がプラスチック材料からなり、特に前記基体が繊維強化されたプラスチックからなることにある。これにより、一作業工程において、完全な制御弁が製造される。
【００１７】
別の利点として、前記基体が着色されていることが挙げられる。これにより、異なる種類の制御弁が視覚的に識別可能である。
【００１８】
有利には、前記ドアクローザが供給通路、排出通路及び円錐形の弁座を備え、流体が前記供給通路を通して前記弁座に沿って前記排出通路へと案内可能である。制御領域の自由端は、実質的にドアクローザの弁座に適合されている。一般に、弁座と、制御領域の有利には円錐形の端部との間には、所定の間隔が生じるので、流体は供給通路から、弁座と、制御領域の有利には円錐形の端部との間を、排出通路に向かって流動可能である。
【図面の簡単な説明】
【００１９】
【図１】本発明に係る制御弁の平面図である。
【図２】図１に示した本発明に係る制御弁の、切断面Ｘ−Ｘに沿った全断面図である。
【図３】図１に示した本発明に係る制御弁の斜視図である。
【図４】図３に示した本発明に係る制御弁の基体を示す図である。
【図５】制御弁が螺入されたドアクローザを示す図である。
【００２０】
図１は、液圧式のドアクローザ用に予定されている制御弁１を示す。このドアクローザは、多種多様なドアクローザであってよく、例えばＤＥ１０３６１０８５Ａ１に記載の偏心カムディスク又はＤＥ１９９０１２３４Ｃ１に記載のラックによって運転可能である。制御弁１は、シール部材のための収容部７を有する。このシール部材は、例えばＯリングであってよい。制御弁１の軸部２ａは、ねじ山２を有する。ねじ山フランクにはプラスチック層が存在する。制御弁１には、材料出口６及び材料案内部５が設けられている。さらに図１は、切断面Ｘ−Ｘを有する。
【００２１】
図２は、図１に示した切断面Ｘ−Ｘに沿った制御弁１の全断面図である。制御弁１は、基体３及び制御領域４からなる。制御領域４は主として、軸部延長部４ｃ及び付設部４ａからなる。さらに栓部４ｂが示されており、栓部４ｂは、材料案内部５を通して、プラスチック層をねじ山２に形成する。
【００２２】
図３は、図１に示した制御弁１の斜視図である。基体３には頭領域８が設けられている。頭領域８は、作業者が適当な工具を用いて制御弁１を操作するために使用される。ねじ山２は図３に、簡略化のため概略的に示されている。制御領域４の自由端１１は、円錐形状に、先細りして構成されている。
【００２３】
図４は、基体３の斜視図である。ねじ山２は図４に、簡略化のため概略的に示されている。基体３の、頭領域８に対向する側に、基体３は盲孔９を備える。盲孔９は、例えば長方形、四角形又は三角形の横断面を有していてよい。さらに材料出口６及び６ａが示されている。材料出口６及び６ａは、一貫して形状結合式の盲孔９まで貫通する。
【００２４】
図５は、制御弁１が螺入されているドアクローザ２０を示す。その際、プラスチック層を有するねじ山２は、ドアクローザ２０の雌ねじ山２５に対応する。制御弁１にはシール部材２１が設けられている。制御領域４、ひいては制御弁１の自由端１１は、ドアクローザ２０の円錐形の弁座２４内にある。制御領域４の円錐形の自由端１１の領域には、オイルが案内される供給通路２２が存在する。一般に、制御領域４の円錐形の自由端１１は、弁座２４に直接当接していないので、オイルは、弁座２４と、制御領域４の円錐形の自由端１１との間に形成される狭小な通路を通して、排出通路２３に向かって流動可能である。制御弁１において、オイルのための流動横断面が調節可能である。これにより、特に、ドアクローザ２０の閉鎖挙動に影響を及ぼすことができる。流動するオイルによって制御弁１に作用する力は、前記回り止めに基づいて、公差範囲においても制御弁１の不都合な回動を惹起し得ない。
【００２５】
前記制御弁１は、以下のように製造される。基体３を予め、図４に示す形状に製造する。基体３の軸部はねじ山２を備える。基体３を運転手段、有利には射出成形工具内に装填する。プラスチック材料を処理する射出成形工程で、射出成形工具によって制御領域４を成形する。このとき、材料出口６及び６ａ並びに材料案内部５を介して、プラスチック層がねじ山２に形成される。射出成形工程時、とりわけ極めて良好な滑り特性、良好な耐薬品性及び高い耐摩耗性の点で優れている、本実施の形態ではポリアセタール（ＰＯＭ）であるプラスチック材料が使用される。
【００２６】
運転手段の図示は、見通しの理由から省いた。
【００２７】
この工程によって、制御領域４は摩擦力結合式かつ／又は形状結合式に基体２に結合されている。これにより、図１に示した制御弁１が得られる。
【００２８】
ねじ山フランクに設けられたプラスチック層によって、制御弁１のねじ山２と、ドアクローザ２０の雌ねじ山２５との間の締付け作用あるいはクランプ作用が、ねじ山間の遊びが充填されるので達成される。これにより、互いに噛み合ったねじ山部分の高い面圧が達成される。同時に、制御弁１は、いつでも手動で回動可能かつ／又はドアクローザ２０の孔から螺出可能である。
【符号の説明】
【００２９】
１  制御弁
２  ねじ山
２ａ  軸部
３  基体
４  制御領域
４ａ  付設部
４ｂ  栓部
４ｃ  軸部延長部
５  材料案内部
６  材料出口
６ａ  材料出口
７  収容部
８  頭領域
９  盲孔
１１  端部
２０  ドアクローザ
２１  シール部材
２２  供給通路
２３  排出通路
２４  弁座
２５  雌ねじ山
Ｘ−Ｘ  切断面
【図１】
2010531962.tif 000003
【図２】
2010531962.tif 000004
【図３】
2010531962.tif 000005
【図４】
2010531962.tif 000006
【図５】
2010531962.tif 000007
【手続補正書】
【提出日】平成20年10月28日(2008.10.28)
【手続補正１】
【補正対象書類名】特許請求の範囲
【補正対象項目名】全文
【補正方法】変更
【補正の内容】
【特許請求の範囲】
【請求項１】
制御弁（１）、特に液圧式のドアクローザ（２０）の雌ねじ山（２５）内に固定可能な制御弁（１）であって、制御領域（４）が接続する基体（３）と、回り止めを備えるねじ山（２）とを備え、前記回り止めを備えるねじ山（２）が前記雌ねじ山（２５）内に螺入される形式のものにおいて、ねじ山（２）が回り止めを有しており、該回り止めが、前記ねじ山（２）のフランクに配置されたプラスチック層を備え、かつ前記基体が盲孔（９）を有しており、該盲孔（９）が多角形又は非円形の横断面を備えることを特徴とする、制御弁。
【請求項２】
前記基体（３）がねじ山（２）を備え、該ねじ山（２）のフランクにプラスチック層が配置されている、請求項１記載の制御弁。
【請求項３】
前記ねじ山（２）が前記基体（３）の軸部（２ａ）に配置されている、請求項２記載の制御弁。
【請求項４】
前記制御領域（４）が、端部（１１）を備える軸部延長部（４ｃ）を備え、該軸部延長部（４ｃ）が、材料案内部（５）を介して、前記ねじ山（２）のフランクに設けられたプラスチック層に結合されている、請求項１記載の制御弁。
【請求項５】
前記基体（３）が盲孔（９）を備え、該盲孔（９）が前記基体（３）の長手方向軸線に沿って頭領域（８）に対向して配置されている、請求項１記載の制御弁。
【請求項６】
前記盲孔（９）内に前記制御領域（４）の付設部（４ａ）が形状結合式に、相対回動不能に固定されている、請求項５又は６記載の制御弁。
【請求項７】
前記付設部（４ａ）が少なくとも１つの栓部（４ｂ）を備え、該栓部（４ｂ）が前記基体（３）の材料出口（６）内に突入する、請求項７記載の制御弁。
【請求項８】
前記プラスチック層が形状結合式かつ／又は摩擦力結合式かつ／又は素材結合式に前記ねじ山（２）に配置されている、請求項２記載の制御弁。
【請求項９】
前記制御領域（４）が、基体（３）に対向する、先細りした、有利には円錐形に形成された端部（１１）を備える、請求項４記載の制御弁。
【請求項１０】
前記制御領域（４）が前記基体（３）に射出成形法により固定される、請求項１から９までのいずれか１項記載の制御弁。
【請求項１１】
前記基体（３）及び／又は前記制御領域（４）がプラスチック材料からなり、特に前記基体（３）は繊維強化されたプラスチックからなる、請求項１から１０までのいずれか１項記載の制御弁。
【請求項１２】
前記基体（３）が着色されている、請求項１から１１までのいずれか１項記載の制御弁。
【請求項１３】
前記ドアクローザ（２０）が供給通路（２２）、排出通路（２３）及び円錐形の弁座（２４）を備え、流体が前記供給通路（２２）を通して前記弁座（２４）に沿って前記排出通路（２３）へと案内可能である、請求項１から１２までのいずれか１項記載の制御弁。
【国際調査報告】
2010531962.tif 000008
2010531962.tif 000009
2010531962.tif 000010
2010531962.tif 000011